(57)【要約】【課題】基部と側部とを有するフレームと、反射シートとを備えた照明装置であって、当該照明装置の光度の低下を防止することが可能な照明装置を提供する。【解決手段】照明装置１００は、ベースフレーム２０と、基板４１，４２，４３と、反射シート３１，３２，３３と、複数のリベット４０とを備えている。ベースフレーム２０は、略水平方向に延びる基部２１と、基部２１からそれぞれ略垂直方向に延びる側部２２〜２５とを含む。反射シート３１は、複数のリベット４０によって反射シート３１が基部２１に固定されることにより、ベースフレーム２０の側部２２〜２４に押さえつけられる。【選択図】図１
2013137872.tif 000002
【特許請求の範囲】
【請求項１】
略水平方向に延びる基部と、前記基部から略垂直方向に延びる側部とを含むフレームと、
光源が取り付けられ、前記フレームの前記基部に取り付けられる発光素子基板と、
前記フレームの前記基部と前記発光素子基板とを覆う反射シートと、
前記反射シートを前記フレームの前記基部に固定させる固定具とを備え、
前記フレームの前記基部には、前記固定具が挿入される挿入孔が形成され、
前記反射シートにおいて、前記挿入孔に対応した位置には取付孔が形成され、
前記取付孔を通って前記固定具が前記挿入孔に挿入されることによって前記反射シートが前記フレームの前記基部に固定されることにより、前記反射シートが前記フレームの前記側部に押さえつけられる、照明装置。
【請求項２】
前記反射シートは、略水平方向に延び且つ前記発光素子基板に接する基面部と、前記発光素子基板から離れて略垂直方向に延びる側面部と、前記基面部と前記側面部との境界線を形成する境界線部とを含み、
前記取付孔は、前記反射シートの前記基面部に形成され、
前記固定具は、前記取付孔を貫通し且つ前記フレームの前記挿入孔に挿入される脚部と、前記脚部の断面積よりも大きい断面積を有する頭部とを有し、
前記反射シートの前記側面部に対向する前記頭部の側端縁が、前記境界線部と略同一の位置に、または、前記境界線部よりも前記フレームの前記側部側に配置されている、
請求項１に記載の照明装置。
【請求項３】
前記フレームの前記側部は、前記基部が延びる方向と略平行な方向に突出する突出部を有している、請求項１または請求項２に記載の照明装置。
【請求項４】
前記固定具の前記頭部の表面は、光反射性材料によって形成されている、
請求項１から請求項３までのいずれか１項に記載の照明装置。
【発明の詳細な説明】
【技術分野】
【０００１】
本発明は、照明装置に関し、特に発光素子が取り付けられた発光素子基板を備えた照明装置に関する。
【背景技術】
【０００２】
例えば、特開２０１１−４４２６９号公報（以下、特許文献１という）に記載された照明装置のように、発光素子としてのＬＥＤ（発光ダイオード）が取り付けられた発光素子基板と、ＬＥＤが発する光を反射して増幅させる反射シートと、フレームとを備えた照明装置が知られている。フレームは、発光素子基板と、反射シートとを保持する。
【０００３】
発光素子基板には、中央部および四隅の計五箇所に、貫通孔が形成されている。フレームは、底部板部と、二つの側部板部とを有している。フレームの底部板部には、発光素子基板の貫通孔に対応したネジ孔が形成されている。
【０００４】
反射シートは、底部板部と、二つの側部板部とを有している。反射シートの底部板部には、発光素子基板に取り付けられたＬＥＤに対応した複数の開口と、発光素子基板の貫通孔に対応した貫通孔とが形成されている。
【０００５】
反射シートの高反射率の層の反対側が発光素子基板に接するように反射シートを発光素子基板に重ね、反射シートの貫通孔と発光素子基板の貫通孔とにネジを挿通させて、フレームのネジ孔にネジを止めることにより、発光素子基板と反射シートとが、フレームに取り付けられる。
【先行技術文献】
【特許文献】
【０００６】
【特許文献１】特開２０１１−４４２６９号公報
【発明の概要】
【発明が解決しようとする課題】
【０００７】
しかしながら、例えば照明装置を長時間または長期間にわたって使用を続けた場合に、フレームの内部の熱または湿度等によって、フレームの側部板部と反射シートとの間に隙間が形成されるように、反射シートがフレームの側部板部の内面から離れるような事態が生じる。このような事態が生じる場合には、当該照明装置において、フレームの側部板部から離れた反射シートと側部板部との間の隙間が、影として写し出される。このようにして、当該照明装置において、照明装置の光度が低下してしまう、といった問題があった。
【０００８】
そこで、本発明の目的は、基部と側部とを有するフレームと、反射シートとを備えた照明装置であって、当該照明装置の光度の低下を防止することが可能な照明装置を提供することである。
【課題を解決するための手段】
【０００９】
本発明に従った照明装置は、フレームと、発光素子基板と、反射シートと、固定具とを備えている。フレームは、略水平方向に延びる基部と、基部から略垂直方向に延びる側部とを含む。発光素子基板には、光源が取り付けられている。発光素子基板は、フレームの基部に取り付けられる。反射シートは、フレームの基部と発光素子基板とを覆う。固定具は、反射シートをフレームの基部に固定させる。
【００１０】
フレームの基部には、固定具が挿入される挿入孔が形成されている。反射シートにおいて、挿入孔に対応した位置には取付孔が形成されている。取付孔を通って固定具が挿入孔に挿入されることによって反射シートがフレームの基部に固定されることにより、反射シートはフレームの側部に押さえつけられる。
【００１１】
本発明によれば、反射シートが固定具によってフレームの基部に固定されることにより、反射シートは、フレームの側部に押さえつけられる。これにより、当該照明装置において、フレームの側部から反射シートが離れることを防止することができる。つまり、反射シートと側部との間に隙間が形成されること、および、当該隙間が影として写し出されることを防止することができる。そのため、当該照明装置において、均一の発光面を得ることができる。すなわち、本発明によれば、当該照明装置の光度の低下を防止することができる。
【００１２】
さらに、固定具の表面が、フレームの側部から反射シートの反射面に露出することが無いため、側部において固定具の影が生じることを防止することができる。
【００１３】
したがって、本発明によれば、基部と側部とを有するフレームと、反射シートとを備えた照明装置であって、当該照明装置の光度の低下を防止することが可能な照明装置を提供することができる。
【００１４】
本発明に従った照明装置において、反射シートは、好ましくは、基面部と側面部と境界線部とを含む。基面部は、好ましくは、略水平方向に延び且つ発光素子基板に接する。側面部は、好ましくは、発光素子基板から離れて略垂直方向に延びる。境界線部は、好ましくは、基面部と側面部との境界線を形成する。取付孔は、好ましくは、反射シートの基面部に形成されている。
【００１５】
固定具は、好ましくは、脚部と頭部とを有している。脚部は、好ましくは、取付孔を貫通し且つフレームの挿入孔に挿入される。頭部は、好ましくは、脚部の断面積よりも大きい断面積を有する。本発明に従った照明装置において、好ましくは、反射シートの側面部に対向する頭部の側端縁は、境界線部と略同一の位置に、または、境界線部よりもフレームの側部側に配置されている。
【００１６】
反射シートの側面部に対向する頭部の側端縁が、境界線部よりもフレームの側部側に配置されている場合には、フレームの側部の比較的近傍に固定具が配置されていることにより、当該照明装置が天井に設置されたときに、フレームの基部から下方に垂れ下がる反射シートの側面部の寸法を比較的小さくすることができる。そのため、当該照明装置を長時間または長期間にわたって使用を続けた場合でも、フレームの内部の熱または湿度等によって、フレームの側部と反射シートとの間に隙間が形成されにくい。つまり、反射シートと側部との間に隙間が形成されること、および、当該隙間が影として写し出されることを防止することができる。そのため、当該照明装置において、均一の発光面を得ることができる。
【００１７】
このように、反射シートをフレームの側部に固定させるネジ等を余分に用いることなく、反射シートが固定具によってフレームの基部に固定されることにより、反射シートをフレームの側部に確実に押さえつけることができる。
【００１８】
一方、反射シートと発光素子基板との間と、発光素子基板とフレームの基部との間とに、それぞれ隙間が形成されないように、反射シートと発光素子基板とが固定具によってフレームの基部に押さえつけられている場合には、反射シートの側面部に対向する頭部の側端縁が、境界線部と略同一の位置に配置されている。フレームの側部に対する固定具および反射シートの取り付け位置がこのような位置である場合にも、当該照明装置が天井に設置されたときに、フレームの基部から下方に垂れ下がる反射シートの側面部の寸法を比較的小さくすることができる。
【００１９】
本発明に従った照明装置において、好ましくは、フレームの側部は、基部が延びる方向と略平行な方向に突出する突出部を有している。
【００２０】
当該照明装置が天井に設置される場合には、フレームの側部が基部から下方に向かって延び、且つ、フレームの側部に押し付けられた反射シートが上方から下方に向かって延びる。そのため、この構成によれば、反射シートの端は、突出部によって、下方から上方に向かって支持される。
【００２１】
そのため、当該照明装置が天井に設置された場合には、反射シートの端を突出部が支持することによって、固定具と発光素子基板との間において、反射シートをフレームの基部に確実に押しつけることができる。これにより、フレームの基部と側部との間において曲げられた反射シートに生じる反発力であって、発光素子基板の表面においてフレームの側部と固定具の脚部とに挟まれた部分の任意の点を支点にして生じる反発力を、当該照明装置を長時間または長期間にわたって使用を続けた場合でも、維持することができる。
【００２２】
そのため、反射シートと側部との間に隙間が形成されること、および、当該隙間が影として写し出されることを防止することができる。そのため、当該照明装置において、均一の発光面を得ることができる。
【００２３】
本発明に従った照明装置において、固定具の頭部の表面は、光反射性材料によって形成されている。
【００２４】
この構成によれば、反射シートの反射面に加えて、反射シートの反射面から露出する固定具の頭部によっても、光源から発せられる光を反射することができるため、当該照明装置の光度の低下を抑えることができる。
【発明の効果】
【００２５】
以上のように、本発明によれば、基部と側部とを有するフレームと、反射シートとを備えた照明装置であって、当該照明装置の光度の低下を防止することが可能な照明装置を提供することができる。
【図面の簡単な説明】
【００２６】
【図１】本発明の第１実施形態に係る照明装置の分解斜視図である。
【図２】本発明の第１実施形態に係る照明装置において光拡散用のパネルが取り外された照明装置を示す平面図である。
【図３】本発明の第１実施形態に係る照明装置において光拡散用のパネルが取り外された照明装置を示す斜視図である。
【図４】本発明に従った照明装置に用いられる固定具を示す図であって、（ａ）は平面図であり、（ｂ）は正面図であり、（ｃ）は下面図である。
【図５】本発明に従った照明装置に用いられる固定具が対象物に取り付けられた状態を示す固定具および対象物の正面図である。
【図６】本発明の第１実施形態に係る照明装置において、フレームの基部に固定された反射シートの状態の一例を概略的に示す断面図である。
【図７】本発明の第１実施形態に係る照明装置において、フレームの基部に固定された反射シートの状態の別の一例を概略的に示す断面図である。
【図８】本発明の第１実施形態に係る照明装置において、フレームの基部に固定された反射シートの状態のさらに別の一例を概略的に示す断面図である。
【図９】本発明の第２実施形態に係る照明装置において、反射シートと発光素子基板とがフレームの基部に固定された状態の一例を概略的に示す断面図である。
【図１０】本発明の第３実施形態に係る照明装置において、反射シートと発光素子基板とがフレームの基部に固定された状態の一例を概略的に示す断面図である。
【発明を実施するための形態】
【００２７】
以下、本発明の実施の形態を図面に基づいて説明する。
【００２８】
（第１実施形態）
図１〜３に、本発明に従った照明装置１００を示す。照明装置１００は、図示しない天井に設置される照明装置であって、スクウェア型の照明装置である。図１に示すように、照明装置１００は、ベースフレーム２０と、基板４１，４２，４３と、反射シート３１，３２，３３と、複数のリベット４０とを備えている。照明装置１００において、反射シート３１と反射シート３２とは、それぞれ略同一の形状を有している。それぞれ発光素子基板の一例である基板４１と基板４２と基板４３とは、同一の構成を有している。
【００２９】
ベースフレーム２０は、フレームの一例である。ベースフレーム２０は、略水平方向に延びる基部２１と、基部２１から略垂直方向に延びる側部２２、側部２３、側部２４、および、側部２５とを含む。このように、ベースフレーム２０は、天井部分を持たない略直方体形状を有している。つまり、基部２１と対向する面は、開口している。
【００３０】
基板４１と、基板４２と、基板４３とには、それぞれ複数の発光ダイオード（以下、ＬＥＤという）４が取り付けられている。基板４１と、基板４２と、基板４３とは、それぞれベースフレーム２０の基部２１に取り付けられる。
【００３１】
反射シート３１は、基部２１の一部と基板４１とを覆う。反射シート３２は、基部２１の他の一部と基板４２とを覆う。反射シート３３は、基部２１の残りの一部と基板４３とを覆う。固定具としての複数のリベット４０は、基部２１と反射シート３１との間に挟まれた基板４１を、反射シート３１ととともに基部２１に固定させる。同様に、複数のリベット４０は、基部２１と反射シート３２との間に挟まれた基板４２を、反射シート３２ととともに基部２１に固定させる。また、複数のリベット４０は、基部２１と反射シート３３との間に挟まれた基板４３を、反射シート３３ととともに基部２１に固定させる。
【００３２】
基部２１には、リベット４０が挿入される複数の挿入孔が形成されている。図１には、複数の挿入孔のうち、挿入孔２０ａと挿入孔２０ｂと挿入孔２０ｃとを示す。一方、基板４１，４２，４３には、それぞれ複数の貫通孔が形成されている。各貫通孔は、基板４１，４２，４３において、基部２１の各挿入孔に対応した位置に形成されている。図１には、複数の貫通孔のうち、基板４１の貫通孔４１ａと貫通孔４１ｂと貫通孔４１ｃとを示す。
【００３３】
反射シート３１，３２，３３には、それぞれ複数の取付孔が形成されている。各取付孔は、反射シート３１，３２，３３において、基部２１の各挿入孔および基板４１，４２，４３の各貫通孔に対応した位置に形成されている。図１には、複数の取付孔のうち、反射シート３１の取付孔３６ａと切り欠き部３６ｂと取付孔３６ｃと、反射シート３３の切り欠き部３７ｂとを示す。
【００３４】
なお、切り欠き部３６ｂと切り欠き部３７ｂとを含む反射シート３１，３２，３３の切り欠き部も、取付孔の一例である。図１には参照番号が付されていないが、反射シート３２には、リベット４０を基部２１に取り付けるための切り欠き部が一つ形成されている。反射シート３３には、切り欠き部３７ｂと、他の一つの切り欠き部が形成されている。
【００３５】
取付孔３６ａの位置は、基部２１の挿入孔２０ａの位置と、基板４１の貫通孔４１ａの位置とに対応している。また、切り欠き部３６ｂの位置と切り欠き部３７ｂの位置とは、基部２１の挿入孔２０ｂの位置と、基板４１の貫通孔４１ｂの位置とに対応している。取付孔３６ｃの位置は、基部２１の挿入孔２０ｃの位置と、基板４１の貫通孔４１ｃの位置とに対応している。例えば、反射シート３１と基板４１とにおいて、取付孔３６ａと貫通孔４１ａと挿入孔２０ａとに一つのリベット４０が挿入される。このように、それぞれ対応する取付孔と貫通孔と挿入孔とにリベット４０が挿入されることにより、例えば基部２１と反射シート３１との間に挟まれた基板４１が、反射シート３１ととともに基部２１に固定される。
【００３６】
光源の一例としての複数のＬＥＤ４は、ＬＥＤ素子と、当該ＬＥＤ素子を封止し且つ蛍光体が分散された樹脂と、入力端子および出力端子とを備えている。複数のＬＥＤ４は、例えば、表面実装型ＬＥＤであって、反射シート３１，３２，３３と接触する側の基板４１，４２，４３の表面に取り付けられている。
【００３７】
反射シート３１には、複数の開口３１ｅが形成されている。反射シート３２には、複数の開口３２ｅが形成されている。反射シート３３には、複数の開口３３ｅが形成されている。反射シート３１において、基板４１に取り付けられた各ＬＥＤ４に対応した位置に、各開口３１ｅが形成されている。同様に、反射シート３２，３３において、基板４２，４３に取り付けられた各ＬＥＤ４に対応した位置に、各開口３２ｅ，３３ｅが形成されている。
【００３８】
開口３１ｅ，３２ｅ，３３ｅにより、反射シート３１，３２，３３が基板４１，４２，４３を覆う場合に、反射シート３１，３２，３３の反射面からＬＥＤ４が露出する。なお、反射シート３１，３２，３３の反射面とは、反射シート３１，３２，３３において基板４１，４２，４３と対向する面の裏面である。照明装置１００が組み立てられた場合に、反射シート３１，３２，３３の反射面は、後述するパネル９に面する。
【００３９】
図２に示すように、反射シート３１は、基面部３１ａと側面部３１ｂと側面部３１ｃと側面部３１ｄとを含む。同様に、反射シート３２は、基面部３２ａと側面部３２ｂと側面部３２ｃと側面部３２ｄとを含む。一方、反射シート３３は、基面部３３ａと側面部３３ｂと側面部３３ｃとを含む。基面部３１ａ，３２ａ，３３ａは、それぞれ略水平方向に延び且つ基板４１，４２，４３（図１参照）に接する。取付孔３６ａ，３６ｂ，３６ｃ等の各取付孔は、基面部３１ａと基面部３２ａと基面部３３ａとに形成されている。なお、図２と図３とにおいて、リベット４０は図示されていない。
【００４０】
後述するように、各側面部３１ｂ，３１ｃ，３１ｄは、反射シート３１および基板４１がベースフレーム２０に固定された場合に基板４１から離れて略垂直方向に延びる部分である。同様に、各側面部３２ｂ，３２ｃ，３２ｄは、反射シート３２および基板４２がベースフレーム２０に固定された場合に基板４２から離れて略垂直方向に延びる部分である。各側面部３３ｂ，３３ｃは、反射シート３３および基板４３がベースフレーム２０に固定された場合に基板４３から離れて略垂直方向に延びる部分である。
【００４１】
また、反射シート３１は、折り曲げ線部３１ｕ，３１ｖ，３１ｗを含む。反射シート３２は、折り曲げ線部３２ｕ，３２ｖ，３２ｗを含む。反射シート３３は、折り曲げ線部３３ｕ，３３ｖを含む。
【００４２】
照明装置１００において、反射シート３１と反射シート３２と反射シート３３とを合わせたシート全体の表面積は、ベースフレーム２０の側部２２と側部２３と側部２４と側部２５とに囲まれた基部２１（図１参照）の表面積に比べて大きい。反射シート３１と反射シート３２と反射シート３３とを合わせたシート全体の表面積は、各ＬＥＤ４に対応した位置に形成される開口３１ｅ，３２ｅ，３３ｅ等の各開口の面積を含む。
【００４３】
後述するように、反射シート３１と基板４１とが基部２１に固定される場合に、各リベット４０の頭部４０ｂ（図４（ｂ）参照）が折り曲げ線部３１ｕ，３１ｖ，３１ｗを跨ぐように、各リベット４０が基部２１に取り付けられる。同様に、反射シート３２と基板４２とが基部２１に固定される場合に、各リベット４０の頭部４０ｂが折り曲げ線部３２ｕ，３２ｖ，３２ｗを跨ぐように、各リベット４０が基部２１に取り付けられる。反射シート３３と基板４３とが基部２１に固定される場合に、各リベット４０の頭部４０ｂが折り曲げ線部３３ｕ，３３ｖを跨ぐように、各リベット４０が基部２１に取り付けられる。
【００４４】
図２に示すように、リベット４０がベースフレーム２０（図１参照）に取り付けられておらず、且つ、例えば反射シート３１と基板４１とが基部２１（図１参照）の載せられている場合には、それぞれ、折り曲げ線部３１ｕは基面部３１ａと側面部３１ｂとの境界線部を形成し、折り曲げ線部３１ｖは基面部３１ａと側面部３１ｃとの境界線部を形成し、折り曲げ線部３１ｗは基面部３１ａと側面部３１ｄとの境界線部を形成する。同様に、このような場合には、反射シート３３の折り曲げ線部３３ｕは基面部３３ａと側面部３３ｂとの境界線部を形成し、且つ、折り曲げ線部３３ｖは基面部３３ａと側面部３３ｃとの境界線部を形成する。
【００４５】
一方、反射シート３１，３２，３３および基板４１，４２，４３がリベット４０によってベースフレーム２０に固定され、且つ、照明装置１００が天井（図示せず）に設置された場合には、後述するように、折り曲げ線部３１ｕ，３１ｖ，３１ｗと、折り曲げ線部３２ｕ，３２ｖ，３２ｗと、折り曲げ線部３３ｕ，３３ｖとは、それぞれ、基面部３１ａ，３２ａ，３３ａに含まれる。
【００４６】
図１に示すように、照明装置１００は、パネル９とパネル枠１０とを備えている。照明装置１００が天井に設置される場合には、パネル枠１０とパネル９とが床面に対向し、且つ、ベースフレーム２０の基部２１が反射シート３１，３２，３３および基板４１，４２，４３の上方に位置する。
【００４７】
ベースフレーム２０の基部２１に対向する開口部分をパネル９が覆うように、パネル枠１０とベースフレーム２０との間にパネル９が配置されたうえで、照明装置１００が天井に設置される。パネル９は、各ＬＥＤ４から発せられた光と、反射シート３１，３２，３３によって反射された光とを拡散および透過させる。照明装置１００が天井に設置される場合に、パネル枠１０は、天井に接触して、天井に形成された埋め込み用の開口と照明装置１００との隙間を塞ぐとともに、天井において照明装置１００を支持する。
【００４８】
照明装置１００が天井に設置される場合には、基部２１の裏面に回路基板（図示せず）が取り付けられる。基部２１の裏面とは、基板４１，４２，４３に接触する面と反対側の面である。回路基板には、電力線および調光用の電線が接続される。
【００４９】
基板４１，４２，４３（図１参照）には、各ＬＥＤ４に通電するための配線パターン（図示せず）と、各ＬＥＤ４に所定の電圧を負荷するための抵抗器（図示せず）と、回路基板の配線が接続されるコネクタとが設置されている。各ＬＥＤ４は、電力線および調光用の電線から供給される電流に基づいて発光する。
【００５０】
反射シート３１，３２，３３は、樹脂材料によって形成されている。反射シート３１，３２，３３の表面には、光反射性の材料が塗布されている。ただし、反射シート３１，３２，３３のそれぞれの反射面のみに、光反射性の材料が塗布されていてもよい。
【００５１】
反射シート３１，３２，３３のように、リベット４０の頭部４０ｂ（図４（ａ）および（ｂ）参照）の表面４０ｂｓは、光反射性材料によって形成されている。図４（ｂ）に示すように、リベット４０は、脚部４０ａと頭部４０ｂとを有している。頭部４０ｂは、脚部４０ａの断面積よりも大きい断面積を有する。
【００５２】
図４（ａ）に示すように、頭部４０ｂの側端縁４０ｂｑは、正面視において略八角形の形状を有している。ただし、正面視の側端縁４０ｂｑの形状は、多角形であればよい。あるいは、正面視の側端縁４０ｂｑの形状は、略円形または略楕円形であってもよい。さらに、正面視の頭部４０ｂの形状は、脚部４０ａから頭部４０ｂが放射状に延びるように、十字型であってもよい。
【００５３】
図４（ｂ）に示すように、脚部４０ａは、頭部４０ｂの裏面４０ｂｒの中心から、裏面４０ｂｒが延びる方向と略垂直な方向に延びている。脚部４０ａは、反射シート３１，３２，３３（図１参照）の取付孔と、基板４１，４２，４３（図１参照）の貫通孔とを貫通し且つベースフレーム２０の挿入孔に挿入される。脚部４０ａには、ストッパ４０ｄが取り付けられている。ストッパ４０ｄの開口部（図示せず）に脚部４０ａが挿入されることにより、脚部４０ａにストッパ４０ｄが取り付けられている。
【００５４】
図４（ｃ）に示すように、ストッパ４０ｄは、４つの回転部４０ｅを有している。リベット４０が対象物に取り付けられる場合には、ストッパ４０ｄが頭部４０ｂの裏面４０ｂｒに近づくように脚部４０ａに沿って移動する。図５に示すように、リベット４０が対象物に取り付けられる場合には、脚部４０ａ（図４（ｂ）参照）の形状と回転部４０ｅの形状とによって、各回転部４０ｅの一端が脚部４０ａから離れる。このとき、回転部４０ｅは、脚部４０ａを中心に傘状に広がる。これにより、リベット４０と対象物との間の係合を固定させることができる。
【００５５】
以下では、反射シート３１，３２，３３と基板４１，４２，４３とがベースフレーム２０の基部２１に固定された場合の反射シート３１，３２，３３の状態の一例について説明する。
【００５６】
照明装置１００（図１参照）において、反射シート３１は、反射シート３１および基板４１が複数のリベット４０によって基部２１に固定されることにより、ベースフレーム２０の側部２２と側部２３と側部２４とに押さえつけられる。同様に、反射シート３２は、反射シート３２および基板４２が複数のリベット４０によって基部２１に固定されることにより、ベースフレーム２０の側部２２と側部２５と側部２４とに押さえつけられる。反射シート３３は、反射シート３３および基板４３が複数のリベット４０によって基部２１に固定されることにより、ベースフレーム２０の側部２２と側部２４とに押さえつけられる。
【００５７】
図６には、反射シート３１と基板４１とが基部２１に固定された場合の基部２１と側部２４とに対する反射シート３１の状態の一例を示す。なお、図６〜８においては、脚部４０ａにストッパ４０ｄ（図４（ｂ）参照）が取り付けられていないリベット４０を概略的に図示している。照明装置１００（図１参照）において、反射シート３１，３２，３３と基板４１，４２，４３とがリベット４０によって基部２１に固定される場合には、脚部４０ａにストッパ４０ｄが取り付けられたリベット４０を用いることが好ましい。
【００５８】
図６に示すように、基面部３１ａは、略水平方向に延び且つ基板４１に接している。側面部３１ｂは、基板４１から離れて略垂直方向に延びている。境界線部３１ｆａは、基面部３１ａと側面部３１ｂとの境界線を形成する。言い換えると、反射シート３１において基板４１から離れる部分が、境界線部３１ｆａとして反射シート３１に形成されている。
【００５９】
照明装置１００（図１参照）において、反射シート３１と基板４１とがリベット４０によって基部２１に固定された場合には、リベット４０の頭部４０ｂは、折り曲げ線部３１ｕを跨いでいる。つまり、折り曲げ線部３１ｕの一部は、頭部４０ｂに覆われている。側端縁４０ｂｑの位置Ｅ1は、折り曲げ線部３１ｕよりも側部２４側に配置されている。このように、側面部３１ｂに対向する頭部４０ｂの側端縁４０ｂｑは、折り曲げ線部３１ｕよりも側部２４側に配置されている。
【００６０】
反射シート３１において基板４１から離れる部分の位置Ｂ1、つまり、境界線部３１ｆａの位置は、折り曲げ線部３１ｕよりも側部２４側に配置されている。このように、照明装置１００（図１参照）において、反射シート３１と基板４１とがリベット４０によって基部２１に固定された場合には、折り曲げ線部３１ｕは、基面部３１ａに含まれる。
【００６１】
側面部３１ｂに対向する頭部４０ｂの側端縁４０ｂｑは、境界線部３１ｆａよりも側部２４側に配置されている。つまり、図６の左方から右方に向かって、頭部４０ｂの側端縁４０ｂｑ、境界線部３１ｆａ、および、折り曲げ線部３１ｕの順にそれぞれが並んでいる。このように、反射シート３１および基板４１がリベット４０によって基部２１に固定されることによって、頭部４０ｂの側端縁４０ｂｑの位置に対して境界線部３１ｆａが所定の位置に配置されるように境界線部３１ｆａが形成される場合には、基部２１から下方に垂れ下がる反射シート３１の側面部３１ｂの寸法（長さ）を比較的小さくすることができる。
【００６２】
なお、図６の左方から右方に向かう方向は、図２の上方から下方に向かう方向に一致しており、略水平方向であって側部２４から側部２２に向かう方向である。
【００６３】
図７には、反射シート３１と基板４１とが基部２１に固定された場合の基部２１と側部２４とに対する反射シート３１の状態の別の一例を示す。図７に示す例においては、頭部４０ｂの裏面４０ｂｒの略全体が反射シート３１の基面部３１ａに接触している。
【００６４】
図７に示すように、基面部３１ａは、略水平方向に延び且つ基板４１に接している。側面部３１ｂは、基板４１から離れて略垂直方向に延びている。図６に示す例と同様に、反射シート３１において基板４１から離れる部分としての境界線部３１ｆｂは、基面部３１ａと側面部３１ｂとの境界線を形成する。
【００６５】
側端縁４０ｂｑの位置Ｅ2は、折り曲げ線部３１ｕよりも側部２４側に配置されている。反射シート３１において基板４１から離れる位置Ｂ2、つまり、境界線部３１ｆｂの位置も、折り曲げ線部３１ｕよりも側部２４側に配置されている。また、境界線部３１ｆｂの位置Ｂ2は、側端縁４０ｂｑの位置Ｅ2と略一致している。つまり、反射シート３１の側面部３１ｂに対向する頭部４０ｂの側端縁４０ｂｑは、境界線部３１ｆｂと略同一の位置に配置されている。
【００６６】
このように、反射シート３１および基板４１がリベット４０によって基部２１に固定されることによって、頭部４０ｂの側端縁４０ｂｑの位置に対して境界線部３１ｆｂが所定の位置に配置されるように境界線部３１ｆｂが形成される場合にも、図６に示す取り付けの例と同様に、基部２１から下方に垂れ下がる反射シート３１の側面部３１ｂの寸法（長さ）を比較的小さくすることができる。
【００６７】
図８には、反射シート３１と基板４１とが基部２１に固定された場合の基部２１と側部２４とに対する反射シート３１の状態のさらに別の一例を示す。図８に示す例においては、頭部４０ｂの裏面４０ｂｒの略全体が反射シート３１の基面部３１ａに接触し、且つ、側面部３１ｂが側端縁４０ｂｑの外側において大きく撓むことによって側面部３１ｂの一部が頭部４０ｂの表面４０ｂｓを覆っている。
【００６８】
図８に示すように、基面部３１ａは、略水平方向に延び且つ基板４１に接している。側面部３１ｂは、基板４１から離れて略垂直方向に延びている。図６に示す例および図７に示す例と同様に、反射シート３１において基板４１から離れる部分としての境界線部３１ｆｃは、基面部３１ａと側面部３１ｂとの境界線を形成する。
【００６９】
側端縁４０ｂｑの位置Ｅ3は、折り曲げ線部３１ｕよりも側部２４側に配置されている。反射シート３１において基板４１から離れる位置Ｂ3、つまり、境界線部３１ｆｃの位置も、折り曲げ線部３１ｕよりも側部２４側に配置されている。また、境界線部３１ｆｃの位置Ｂ3は、側端縁４０ｂｑの位置Ｅ3と略一致している。つまり、反射シート３１の側面部３１ｂに対向する頭部４０ｂの側端縁４０ｂｑは、境界線部３１ｆｃと略同一の位置に配置されている。
【００７０】
このように、反射シート３１および基板４１がリベット４０によって基部２１に固定されることによって、頭部４０ｂの側端縁４０ｂｑの位置に対して境界線部３１ｆｃが所定の位置に配置されるように境界線部３１ｆｃが形成される場合にも、図６に示す例および図７に示す例と同様に、基部２１から下方に垂れ下がる反射シート３１の側面部３１ｂの寸法（長さ）を比較的小さくすることができる。また、反射シート３１の一部が大きく変形して側面部３１ｂの一部が頭部４０ｂの表面４０ｂｓを覆うことにより、反射シート３１がリベット４０を基部２１に向かって押しつけることができる。これにより、基部２１に対するリベット４０の押圧力を増大させることができる。
【００７１】
反射シート３１と基板４１とが基部２１に固定された場合の基部２１と側部２３または基部２１と側部２２とに対する反射シート３１の状態の例については、図６〜図８に示す例と同様である。同様に、反射シート３２と基板４２とが基部２１に固定された場合の基部２１と各側部２２，２３，２４とに対する反射シート３３の状態の例についても、図６〜図８に示す例と同様である。さらに、反射シート３３と基板４３とが基部２１に固定された場合の基部２１と側部２２、および、基部２１と側部２４とに対する反射シート３３の状態の例についても、図６〜図８に示す例と同様である。そのため、これらの例についての説明は省略する。
【００７２】
以上のように、照明装置１００は、ベースフレーム２０と、基板４１，４２，４３と、反射シート３１，３２，３３と、複数のリベット４０とを備えている。ベースフレーム２０は、略水平方向に延びる基部２１と、基部２１からそれぞれ略垂直方向に延びる側部２２と側部２３と側部２４と側部２５とを含む。基板４１と基板４２と基板４３とには、それぞれ、複数のＬＥＤ４が取り付けられている。基板４１と基板４２と基板４３とは、基部２１に取り付けられる。
【００７３】
反射シート３１は、ベースフレーム２０の基部２１の一部と基板４１とを覆う。反射シート３２は、基部２１の他の一部と基板４２とを覆う。反射シート３３は、基部２１の残りの一部と基板４３とを覆う。複数のリベット４０は、基部２１と反射シート３１との間に挟まれた基板４１を、反射シート３１ととともに基部２１に固定させ、基部２１と反射シート３２との間に挟まれた基板４２を、反射シート３２ととともに基部２１に固定させ、且つ、基部２１と反射シート３３との間に挟まれた基板４３を、反射シート３３とともに基部２１に固定させる。
【００７４】
ベースフレーム２０の基部２１には、リベット４０が挿入される挿入孔（例えば、挿入孔２０ａ、２０ｂ、２０ｃ）が形成されている。基板４１において、挿入孔に対応した位置には貫通孔（例えば、貫通孔４１ａ，４１ｂ，４１ｃ）が形成されている。同様に、基板４２，４３において、挿入孔に対応した位置には貫通孔が形成されている。反射シート３１，３２，３３には、それぞれ複数の取付孔（例えば、取付孔３６ａ，３６ｃと、切り欠き部３６ｂ，３７ｂ）が形成されている。各取付孔は、反射シート３１，３２，３３において、基部２１の挿入孔および基板４１，４２，４３の貫通孔に対応した位置に形成されている。
【００７５】
反射シート３１は、取付孔と貫通孔とを通って複数のリベット４０が挿入孔に挿入されることによって反射シート３１および基板４１が基部２１に固定されることにより、ベースフレーム２０の側部２２と側部２３と側部２４とに押さえつけられる。反射シート３２は、取付孔と貫通孔とを通って複数のリベット４０が挿入孔に挿入されることによって反射シート３２および基板４２が基部２１に固定されることにより、ベースフレーム２０の側部２２と側部２５と側部２４とに押さえつけられる。反射シート３３は、取付孔と貫通孔とを通って複数のリベット４０が挿入孔に挿入されることによって反射シート３３および基板４３が基部２１に固定されることにより、ベースフレーム２０の側部２２と側部２４とに押さえつけられる。
【００７６】
図６〜８に示す例のように、照明装置１００によれば、反射シート３１，３２，３３および基板４１，４２，４３がリベット４０によってベースフレーム２０の基部２１に固定されることにより、反射シート３１，３２，３３は、ベースフレーム２０の側部２２，２３，２４，２５に押さえつけられる。これにより、照明装置１００において、ベースフレーム２０の側部２２，２３，２４から反射シート３１が離れること、側部２２，２５，２４から反射シート３２が離れること、および、側部２２，２４から反射シート３３が離れることを防止することができる。つまり、反射シート３１，３２，３３と各側部２２，２３，２４，２５との間に隙間が形成されること、および、当該隙間が影として写し出されることを防止することができる。そのため、照明装置１００において、均一の発光面を得ることができる。すなわち、照明装置１００によれば、当該照明装置１００の光度の低下を防止することができる。
【００７７】
また、リベット等の固定具の表面が、ベースフレーム２０の側部２２，２３，２４，２５から反射シート３１，３２，３３の反射面に露出することが無いため、側部２２，２３，２４，２５において固定具の影が生じることを防止することができる。
【００７８】
さらに、照明装置１００によれば、反射シート３１，３２，３３および基板４１，４２，４３がリベット４０によってベースフレーム２０の基部２１に固定されることによって、反射シート３１，３２，３３をそれぞれ側部２２，２３，２４，２５に固定させる固定具を余分に用いること無く、反射シート３１，３２，３３を各側部２２，２３，２４，２５に押さえつけることができる。そのため、固定具の数が増加すること、および、取り付けの工数が増加することがない。つまり、より少ない数のリベット４０を用いることによって、反射シート３１，３２，３３を各側部２２，２３，２４，２５に押さえつけることができる。
【００７９】
このようにすることにより、基部２１と側部２２，２３，２４，２５とを有するベースフレーム２０と、反射シート３１，３２，３３とを備えた照明装置であって、当該照明装置の光度の低下を防止することが可能な照明装置１００を提供することができる。
【００８０】
また、照明装置１００によれば、基板４１，４２，４３は、それぞれ、反射シート３１，３２，３３を基部２１に固定させるリベット４０を用いることによって、基部２１に固定される。そのため、照明装置１００において、固定具の部品点数および作業工数を削減することができる。
【００８１】
図６に示す例のように、照明装置１００において、例えば反射シート３１は、基面部３１ａと側面部３１ｂと境界線部３１ｆａとを含む。基面部３１ａは、略水平方向に延び且つ基板４１に接する。側面部３１ｂは、基板４１から離れて略垂直方向に延びる。境界線部３１ｆａは、基面部３１ａと側面部３１ｂとの境界線を形成する。取付孔（例えば３６ａ）は、反射シート３１の基面部３１ａに形成されている。
【００８２】
リベット４０は、脚部４０ａと頭部４０ｂとを有している。脚部４０ａは、例えば取付孔３６ａと貫通孔４１ａとを貫通し且つベースフレーム２０の挿入孔２０ａに挿入される。頭部４０ｂは、脚部４０ａの断面積よりも大きい断面積を有する。照明装置１００において、反射シート３１の側面部３１ｂに対向する頭部４０ｂの側端縁４０ｂｑは、境界線部３１ｆａよりもベースフレーム２０の側部２４側に配置されている。
【００８３】
ベースフレーム２０の側部２４に対するリベット４０および反射シート３１の取り付け位置がこのような位置である場合には、側部２４の比較的近傍にリベット４０が配置されていることにより、照明装置１００が天井に設置されたときに、ベースフレーム２０の基部２１から下方に垂れ下がる反射シート３１の側面部３１ｂの寸法を比較的小さくすることができる。そのため、照明装置１００を長時間または長期間にわたって使用を続けた場合でも、ベースフレーム２０の内部の熱または湿度等によって、例えば側部２４と反射シート３１との間に、隙間が形成されにくい。つまり、反射シート３１と側部２４との間に隙間が形成されること、および、当該隙間が影として写し出されることを防止することができる。そのため、照明装置１００において、均一の発光面を得ることができる。
【００８４】
このように、反射シート３１を側部２４に固定させる固定具を余分に用いることなく、反射シート３１および基板４１がリベット４０によって基部２１に固定されることにより、反射シート３１を例えば側部２４に確実に押さえつけることができる。
【００８５】
図７に示す例のように、照明装置１００において、例えば反射シート３１は、基面部３１ａと、側面部３１ｂと、境界線部３１ｆｂとを含む。反射シート３１の側面部３１ｂに対向する頭部４０ｂの側端縁４０ｂｑは、境界線部３１ｆｂと略同一の位置に配置されている。
【００８６】
あるいは、図８に示す例のように、例えば反射シート３１は、基面部３１ａと、側面部３１ｂと、境界線部３１ｆｃとを含む。反射シート３１の側面部３１ｂに対向する頭部４０ｂの側端縁４０ｂｑは、境界線部３１ｆｃと略同一の位置に配置されている。
【００８７】
反射シート３１と基板４１との間と、基板４１とベースフレーム２０の基部２１との間とに、それぞれ隙間が形成されないように、反射シート３１と基板４１とがリベット４０によって基部２１に押さえつけられている場合には、ベースフレーム２０の側部２４に対してリベット４０および反射シート３１がこのような位置に取り付けられる。ベースフレーム２０の側部２４に対するリベット４０および反射シート３１の取り付け位置がこのような位置である場合にも、照明装置１００が天井に設置されたときに、ベースフレーム２０の基部２１から下方に垂れ下がる反射シート３１の側面部３１ｂの寸法を比較的小さくすることができる。
【００８８】
照明装置１００において、リベット４０の頭部４０ｂの表面４０ｂｓは、光反射性材料によって形成されている。
【００８９】
この構成によれば、反射シート３１，３２，３３の反射面に加えて、反射シート３１，３２，３３の反射面から露出する頭部４０ｂによっても、ＬＥＤ４から発せられる光を反射することができるため、照明装置１００の光度の低下を抑えることができる。
【００９０】
照明装置１００に用いられる反射シートの分割数は、反射シート３１，３２，３３のように三に限定されない。例えば、照明装置１００は、一枚の反射シートを備えていてもよい。あるいは、照明装置１００において、４枚以上のシートが組み合わされた反射シートによって基部２１および基板４１，４２，４３が覆われていてもよい。
【００９１】
照明装置１００において、発光素子基板としては基板４１，４２，４３でなくてもよい。照明装置１００には、一つ、二つまたは４以上の発光素子基板が基部２１に固定されていてもよい。
【００９２】
上述のように、第１実施形態に係る照明装置１００として、いわゆるスクウェア型の照明装置を例に説明した。ただし、本発明に従った照明装置としては、他の型式の照明装置であってもよい。本発明に従った照明装置は、例えば、ストレート型の照明装置であってもよい。また、本発明に従った照明装置は、天井に設置される照明装置に限定されず、壁に取り付けられる照明装置、または、机等の台の上に載せられる照明装置であってもよい。
【００９３】
照明装置１００において、光源は発光ダイオードであることに限定されず、光源はＥＬ（エレクトロルミネッセンス）であってもよい。
【００９４】
照明装置１００には、反射シート３１，３２，３３および基板４１，４２，４３のベースフレーム２０への取り付けのために、１９個のリベット４０が用いられている。図１においては、一つのリベット４０が側面部３１ｄに隠れているため、１８個のリベットが図示されている。なお、反射シート３１，３２，３３および基板４１，４２，４３のベースフレーム２０への取り付けのために用いられるリベットの数は、１９個に限定されず、反射シートの分割数または各反射シートの寸法もしくは重量等によって適宜選択されていてもよい。
【００９５】
なお、照明装置１００において、基板４１，４２，４３の基部２１に対する固定と、反射シート３１，３２，３３の基部２１に対する固定とは、それぞれ独立していてもよい。つまり、基板４１，４２，４３を基部２１に固定するための固定具と、反射シート３１，３２，３３を基部２１に固定するための固定具とは、それぞれ別のものが用いられていてもよい。また、基板４１，４２，４３において、基板４１，４２，４３を基部２１に固定するための固定具が挿入される各貫通孔は、反射シート３１，３２，３３の各挿入孔に対応しない位置に形成されていてもよい。
【００９６】
照明装置１００においては、折り曲げ線部によって折り曲げられておらず、略水平方向に延びる部分のみを有する反射シートを用いることができる。略水平方向に延びる反射シートは、ベースフレーム２０の各側部２２，２３，２４，２５と基部２１とによって、略水平方向から折り曲げられる。
【００９７】
（第２実施形態）
図９に示すように、第２実施形態に係る照明装置は、折り曲げ線部によって折り曲げられておらず、略水平方向に延びる部分のみを有する反射シート３４を備えている。また、第２実施形態に係る照明装置において、ベースフレーム６０の側部のうちの一つである側部２７は、基部２６が延びる方向と略平行な方向に突出する突出部２７ｒを有している。なお、以下において、第１実施形態に係る照明装置１００の構成と同一の構成には同符号を付し、その構成については説明を省略する。
【００９８】
図９には、第２実施形態に係る照明装置において、反射シート３４と基板４１とが基部２６に固定された場合の基部２６と側部２７とに対する反射シート３４の状態の一例を示す。
【００９９】
ベースフレーム６０は、フレームの一例である。ベースフレーム６０は、略水平方向に延びる基部２６と、基部２６から略垂直方向に延びる複数の側部を含む。複数の側部には、側部２７およびその他の三つの側部が含まれる。第２実施形態に係る照明装置のベースフレーム６０において、各側部に突出部が形成されていることを除く他の構造は、第１実施形態に係る照明装置１００のベースフレーム２０の構造と同一である。
【０１００】
反射シート３４の下端３４ｃは、突出部２７ｒの接触面２７ｒａに接触することができる。突出部２７ｒは、反射シート３４の下端３４ｃを下方から上方に向かって支持する。これにより、リベット４０と基板４１との間において、反射シート３４を基部２６に確実に押しつけることができる。
【０１０１】
図９に示す例において、反射シート３４において基板４１から離れる部分としての境界線部３４ｆｄは、基面部３４ａと側面部３４ｂとの境界線を形成する。側面部３４ｂに対向する頭部４０ｂの側端縁４０ｂｑは、反射シート３４において基板４１から離れる部分の位置Ｂ4、つまり、境界線部３４ｆｄよりも側部２７側に配置されている。図９に示すように、側端縁４０ｂｑの位置Ｅ4は、位置Ｂ4よりも側部２７側に配置されている。
【０１０２】
突出部２７ｒは、折り曲げ加工が施されることによって側部２７に形成されている。突出部２７ｒは、側部２７の長手方向の略全範囲において延びている。ただし、突出部２７ｒは、側部２７の長手方向の略全範囲のいずれかの位置において、側部２７に局所的に配置されているものであってもよい。例えば、突出部としては、側部２７の内面２７ｓに、豆状等の個体物が接着もしくは溶着等によって固定されたものであってもよい。あるいは、突出部２７ｒは、押出成形によって側部２７が形成される際に、同時に一体成形されていてもよい。
【０１０３】
なお、図９には、側部２７に形成された突出部２７ｒを示した。しかしながら、第２実施形態に係る照明装置において、突出部は、ベースフレーム６０のその他のすべての側部にも形成されている。ただし、突出部は、ベースフレーム６０のその他のいずれかの側部に形成されていてもよく、側部２７のみに形成されていてもよい。
【０１０４】
第２実施形態に係る照明装置のその他の構成は、第１実施形態に係る照明装置１００の構成と同様である。
【０１０５】
以上のように、第２実施形態に係る照明装置において、ベースフレーム６０の側部２７は、基部２６が延びる方向と略平行な方向に突出する突出部２７ｒを有している。
【０１０６】
当該照明装置が天井に設置される場合には、ベースフレーム６０の側部２７が基部２６から下方に向かって延び、且つ、側部２７に押し付けられた反射シート３４が上方から下方に向かって延びる。そのため、この構成によれば、反射シート３４の下端３４ｃは、突出部２７ｒによって、下方から上方に向かって支持される。
【０１０７】
そのため、当該照明装置が天井に設置された場合には、反射シート３４の下端３４ｃを突出部２７ｒが支持することによって、リベット４０と基板４１との間において、反射シート３４をベースフレーム６０の基部２６に確実に押しつけることができる。これにより、ベースフレーム６０の基部２６と側部２７との間において曲げられた反射シート３４に生じる反発力であって、基板４１の表面においてベースフレーム６０の側部２７とリベット４０の脚部４０ａとに挟まれた部分の任意の点を支点にして生じる反発力を、当該照明装置を長時間または長期間にわたって使用を続けた場合でも、維持することができる。
【０１０８】
そのため、反射シート３４と側部２７との間に隙間が形成されること、および、当該隙間が影として写し出されることを防止することができる。そのため、当該照明装置において、均一の発光面を得ることができる。
【０１０９】
なお、第２実施形態に係る照明装置においては、反射シート３４の側面部３４ｂに対向する頭部４０ｂの側端縁４０ｂｑは、境界線部３４ｆｄと略同一の位置に配置されていてもよい。あるいは、側面部３４ｂに対向する頭部４０ｂの側端縁４０ｂｑよりも境界線部３４ｆｄが側部２７側に配置されるように、ベースフレーム６０の側部２７からリベット４０がより離れた位置において基部２６に取り付けられていてもよい。
【０１１０】
（第３実施形態）
なお、その他の反射シートとして、反射シートの反射面側が裏面側に引っ張られるように構成されている場合には、反射シートは折り曲げ線部を有していなくてもよく、且つ、ベースフレームの側部が突出部を有していなくてもよい。反射シートは、例えば所定の弾性力を有する程度の可撓性材料によって形成されていればよい。あるいは、反射シートの反射面の裏面に所定の弾性を有する部材が取り付けられていてもよい。さらに、反射シートは、単に平面状に形成されたシートであってもよい。
【０１１１】
図１０に示すように、第３実施形態に係る照明装置は、所定の弾性力を有する程度の可撓性材料によって形成された反射シート３５を備えている。なお、以下において、第１実施形態に係る照明装置１００の構成と同一の構成には同符号を付し、その構成については説明を省略する。
【０１１２】
図１０には、第３実施形態に係る照明装置において、反射シート３５と基板４１とが基部２８に固定された場合の基部２８と側部２９とに対する反射シート３５の状態の一例を示す。
【０１１３】
ベースフレーム８０は、フレームの一例である。ベースフレーム８０は、略水平方向に延びる基部２８と、基部２８から略垂直方向に延びる複数の側部を含む。複数の側部には、側部２９およびその他の三つの側部が含まれる。第３実施形態に係る照明装置のベースフレーム８０の構造は、第１実施形態に係る照明装置１００のベースフレーム２０の構造と同一である。
【０１１４】
第３実施形態に係る照明装置においては、リベット４０と基板４１との間において、反射シート３５が基部２８に押さえつけられることにより、反射シート３５の下端部３５ｃのみが、側部２９に寄りかかるように接触している。反射シート３５の下端部３５ｃは、側部２９の下端２９ｂよりも上方に配置されている。
【０１１５】
図１０に示す例において、反射シート３５において基板４１から離れる部分としての境界線部３５ｆｅは、基面部３５ａと側面部３５ｂとの境界線を形成する。反射シート３５において基板４１から離れる部分の位置Ｂ5、つまり、境界線部３５ｆｅは、側面部３５ｂに対向する頭部４０ｂの側端縁４０ｂｑよりも側部２９側に配置されている。図１０に示すように、位置Ｂ5は、側端縁４０ｂｑの位置Ｅ5よりも側部２９側に配置されている。側端縁４０ｂｑの位置Ｅ5は、反射シート３５の折り曲げ線部３５ｕよりも側部２９側に配置されている。
【０１１６】
なお、図１０には、側部２９に対する反射シート３５の接触のみを示した。しかしながら、第３実施形態に係る照明装置において、ベースフレーム８０のその他のすべての側部においても、反射シートの下端部が同様に接触している。ただし、ベースフレーム８０のその他のいずれかの側部において反射シートの下端部が同様に接触していてもよく、側部２９においてのみ反射シート３５の下端部３５ｃが側部２９に接触していてもよい。
【０１１７】
第３実施形態に係る照明装置のその他の構成は、第１実施形態に係る照明装置１００の構成と同様である。また、第３実施形態に係る照明装置において、第２実施形態に係る照明装置と同様に、側部２９は、基部２８が延びる方向と略平行な方向に突出する突出部を有していてもよい。当該突出部が反射シート３５の下端部３５ｃを係止することにより、下端部３５ｃが側部２９から離れることをより確実に防止することができる。
【０１１８】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１１９】
４：発光ダイオード、２０：ベースフレーム、２０ａ，２０ｂ，２０ｃ：挿入孔、２１：基部、２２，２３，２４，２５：側部、２７ｒ：突出部、３１，３２，３３：反射シート、３１ａ，３２ａ，３３ａ：基面部、３１ｂ，３１ｃ，３１ｄ：側面部、３２ｂ，３２ｃ，３２ｄ：側面部、３３ｂ，３３ｃ：側面部、３１ｆａ：境界線部、３６ａ，３６ｃ，：取付孔、３６ｂ，３７ｂ：切り欠き部、４０：リベット、４０ａ：脚部、４０ｂ：頭部４０ｂｑ：側端縁、４１，４２，４３：基板、４１ａ，４１ｂ，４１ｃ：貫通孔、１００：照明装置
【図１】
2013137872.tif 000003
【図２】
2013137872.tif 000004
【図３】
2013137872.tif 000005
【図４】
2013137872.tif 000006
【図５】
2013137872.tif 000007
【図６】
2013137872.tif 000008
【図７】
2013137872.tif 000009
【図８】
2013137872.tif 000010
【図９】
2013137872.tif 000011
【図１０】
2013137872.tif 000012